(57)【要約】【課題】  渋滞中で停車禁止区域の標示をユーザが確認できない場合であっても、車両が停車禁止区域内に停止することを未然に防止できるナビゲーション装置を提供する。【解決手段】  目的地までの経路を案内するナビゲーション装置であって、渋滞情報を受信する渋滞情報受信部１０と、車両位置を検知する車両位置検知部２０と、車両速度を検知する車両速度検知部３０と、地図情報格納部６０から取得した停車禁止区域情報と、受信した渋滞情報と、検知した車両位置及び車両速度とに基づいて、渋滞発生中の停車禁止区域に、所定速度以下で、所定距離以内に接近しているか否かを判定する停車可能性判定部７２と、接近していると判定した場合に報知を行う出力部５０と、を備える。【選択図】  図１
2007010494.tif 000002
【特許請求の範囲】
【請求項１】
目的地までの経路を案内するナビゲーション装置であって、
渋滞情報を受信する渋滞情報受信手段と、
車両位置を検知する車両位置検知手段と、
車両速度を検知する車両速度検知手段と、
停車禁止区域情報を取得する停車禁止区域情報取得手段と、
受信した渋滞情報と、検知した車両位置及び車両速度と、取得した停車禁止区域情報とに基づいて、渋滞発生中の停車禁止区域に、所定速度以下で、所定距離以内に接近しているか否かを判定する判定手段と、
接近していると判定した場合に報知を行う報知手段と、
を備えるナビゲーション装置。
【請求項２】
前記停車禁止区域情報取得手段は、地図データベースから前記停車禁止区域情報を取得する請求項１記載のナビゲーション装置。
【請求項３】
前記停車禁止区域情報取得手段は、地図データベースから取得した施設情報に基づいて前記停車禁止区域情報を取得する請求項１記載のナビゲーション装置。
【請求項４】
前記報知手段は、音声又は画面表示により報知を行う請求項１記載のナビゲーション装置。
【請求項５】
前記所定速度をユーザ入力により変更する設定変更手段を備える請求項１記載のナビゲーション装置。
【請求項６】
前記所定距離をユーザ入力により変更する設定変更手段を備える請求項１記載のナビゲーション装置。
【発明の詳細な説明】
【技術分野】
【０００１】
本発明は、目的地までの経路を案内するナビゲーション装置に関する。
【背景技術】
【０００２】
路上の車両が安全で適正に運転されているか否かを監視する装置は、これまでに各種提案されている。例えば、路上の停車禁止区域内に車両が停止している場合に道路管理者に通報する装置がある（例えば、特許文献１参照）。停車禁止区域とは、消防車やパトカー、救急車などの緊急車両が常時出動できるように消防署や警察署、病院などの施設が面する路上に設定された駐停車禁止区域のことである。
【０００３】
また、停車禁止区域内に車両が停車している場合にその旨を運転者に報知するとともに、ドアロックを阻止するなどの車両制御を行って違反駐停車を防止するナビゲーション装置もある（例えば、特許文献２参照）。このナビゲーション装置によれば、車両が停車禁止区域内に停止すると適切な報知が行われるので、運転者に、車両を停車禁止区域外へ移動するように促すことができる。
【特許文献１】特開２００２−１９００１１号公報（第３頁−第６頁、図１）
【特許文献２】特開平０５−２７３９１３号公報（第２頁−第３頁、図１）
【発明の開示】
【発明が解決しようとする課題】
【０００４】
しかしながら、上記従来のナビゲーション装置では、停車禁止区域内に車両が停車したあとには報知を行うが、これから進行する誘導経路上に停車禁止区域があることを操作者に事前に通知するものではなかった。そのため、例えば、渋滞時など、車両間隔が狭い状態で、且つ低速で走行している場合、前方の車両により路上の停車禁止区域の標示が遮蔽され、認識できずに意図せず停車禁止区域内で車両が停止してしまう場合があった。このような状況では、停車禁止区域内に停車したことに運転者が気付いても、渋滞中であるため即座に車両を区域外へ移動できない場合が多い。
【０００５】
本発明は、上記事情に鑑みてなされたものであって、渋滞中で停車禁止区域の標示をユーザが確認できない場合であっても、車両が停車禁止区域内に停止することを未然に防止できるナビゲーション装置を提供することを目的とする。
【課題を解決するための手段】
【０００６】
本発明のナビゲーション装置は、目的地までの経路を案内するナビゲーション装置であって、渋滞情報を受信する渋滞情報受信手段と、車両位置を検知する車両位置検知手段と、車両速度を検知する車両速度検知手段と、停車禁止区域情報を取得する停車禁止区域情報取得手段と、受信した渋滞情報と、検知した車両位置及び車両速度と、取得した停車禁止区域情報とに基づいて、渋滞発生中の停車禁止区域に、所定速度以下で、所定距離以内に接近しているか否かを判定する判定手段と、接近していると判定した場合に報知を行う報知手段と、を備える。
【０００７】
上記構成によれば、渋滞発生中の停車禁止区域に、所定速度以下で、所定距離以内に接近しているか否かを判定し、停車禁止区域内に車両が停止する可能性がある場合には報知を行うことにより、ユーザに注意を促すことができる為、渋滞中で停車禁止区域の標示をユーザが確認できない場合であっても、車両が停車禁止区域内に停止することを未然に防止できる。
【０００８】
また、本発明のナビゲーション装置は、前記停車禁止区域情報取得手段が、地図データベースから前記停車禁止区域情報を取得するものである。上記構成によれば、停車禁止区域情報を容易に取得できる。
【０００９】
また、本発明のナビゲーション装置は、前記停車禁止区域情報取得手段が、地図データベースから取得した施設情報に基づいて前記停車禁止区域情報を取得するものである。上記構成によれば、地図データベースに停車禁止区域情報が記憶されていない場合でも、施設情報に基づいて停車禁止区域の推定を行うことにより、当該停車禁止区域内で停車する可能性が高い場合、予め、ナビゲーション装置の操作者である運転者に報知を行い、意図せず停車禁止区域内に停車することを未然に防止することができる。
【００１０】
また、本発明のナビゲーション装置は、前記報知手段が、音声又は画面表示により報知を行うものである。上記構成によれば、容易にユーザに注意を促すことができる。
【００１１】
また、本発明のナビゲーション装置は、前記所定速度をユーザ入力により変更する設定変更手段を備える。さらに、本発明のナビゲーション装置は、前記所定距離をユーザ入力により変更する設定変更手段を備える。上記構成によれば、ユーザは、自分に適正な報知タイミングを独自に設定できる。例えば、運転初心者であるユーザが、停車禁止区域の報知を、距離的に余裕をもって行わせるように設定することにより、安全運転を支援することができる。
【発明の効果】
【００１２】
本発明のナビゲーション装置によれば、渋滞発生中の停車禁止区域に、所定速度以下で、所定距離以内に接近しているか否かを判定し、停車禁止区域内に車両が停止する可能性がある場合には報知を行うことにより、ユーザに注意を促すことができる為、渋滞中で停車禁止区域の標示をユーザが確認できない場合であっても、車両が停車禁止区域内に停止することを未然に防止できる。
【発明を実施するための最良の形態】
【００１３】
以下、添付図面を参照しながら本発明の実施形態に係るナビゲーション装置について詳細に説明する。尚、実施の形態を説明するための全図において、同一機能を有するものは同一符号を付与し、説明は繰り返さないこととする。
【００１４】
［実施の形態１］
図１は、本発明の実施の形態１におけるナビゲーション装置の構成を示す図である。ナビゲーション装置１００は、目的地までの経路を案内するものであり、渋滞情報受信部１０、車両位置検知部２０、車両速度検知部３０、入力部４０、出力部５０、地図情報格納部６０、制御部７０で構成される。
【００１５】
渋滞情報受信部１０は、道路交通情報センターが送信する道路交通情報（ＶＩＣＳ情報）を受信するＶＩＣＳ受信機で形成される。道路交通情報には、渋滞箇所を示す道路番号や渋滞の先頭位置、渋滞量などの渋滞情報が含まれ、渋滞情報受信部１０は、受信した渋滞情報を制御部７０へ出力する。ＶＩＣＳ受信機は、公知のナビゲーション装置と同様、ＦＭ多重放送、電波ビーコン、光ビーコンからの情報を受信できる。尚、ＶＩＣＳ情報は定期的に更新される。
【００１６】
車両位置検知部２０は、ＧＰＳ（Global Positioning System）受信機及び走行距離センサ、ジャイロ等を有する自立航法装置で構成され、公知の検知方法により車両の現在位置並びに進行方向の方位を検知して、制御部７０へ出力する。
【００１７】
車両速度検知部３０は、車速センサで構成され、車両の進行速度を検知して、制御部７０へ出力する。
【００１８】
入力部４０は、後述する停車禁止区域の報知に関する各種設定入力などを制御部７０へ送出する。
【００１９】
出力部５０は、前方に停車禁止区域があることを操作者に報知するため、ナビゲーション装置の画面上に停車禁止区域までの残距離を表示したり、音声案内やその他の画面表示などを行ったりする。
【００２０】
地図情報格納部６０は、ＨＤＤ（Hard Disk Drive）やＤＶＤ（Digital Versatile Disk）などの記録メディアで形成され、地図データや、地図データに関連付けされた停車禁止区域データも含まれる。尚、地図データ格納部６０は、ＤＶＤやＨＤＤに限定されるものではなく、上記以外にＣＤ（Compact Disc）やＳＤ（Secure Digital）メモリカード等を使用してもよく、それらを複数選択できるような構成であってもよい。
【００２１】
尚、地図データは、経路誘導を行っている時や、画面のスクロール操作が行われる時など、地図の更新が必要な際に、適時読み込みが行われる。地図データは、公知のナビゲーション装置と同様、緯度及び経度によって区切られた矩形を単位として格納されている。
【００２２】
制御部７０は、ＣＰＵ、メモリ、マイクロコンピュータ等（図示省略）を含み、予め設定したプログラムをＣＰＵで実行することにより、ナビゲーション装置全体の動作制御及び公知のナビゲーション（経路誘導）機能などを実現する。制御部７０は、更に、停車禁止区域渋滞判定部７１、停車可能性判定部７２、設定変更部７３を含む。
【００２３】
停車禁止区域渋滞判定部７１は、これから走行する誘導経路上に停車禁止区域が存在するか否か、停車禁止区域で渋滞が発生しているか否かを判断する。即ち、停車禁止区域渋滞判定部７１は、渋滞情報に含まれる道路番号などに基づいて、地図情報格納部６０から取得した地図データで渋滞発生中の道路を特定し、更に、車両の現在位置と設定された目的地とを結ぶ誘導経路内に渋滞発生中の道路が含まれ、且つ、当該渋滞発生中の道路上に停車禁止区域の設定箇所が存在するか否かを判定する。
【００２４】
停車可能性判定部７２は、所定の判定条件に基づいて、これから通過する渋滞発生中の停車禁止区域内で、車両が停止する可能性があるか否かを判断する。判定処理手順の詳細は後述する。
【００２５】
設定変更部７３は、停車禁止区域があることを報知するタイミングや、渋滞中の走行であるか否かの判断基準となる車両走行速度を、操作者の入力に基づいて変更する。従って、操作者の所望するタイミングで報知を行ったり、また操作者が「渋滞していない」と体感する車両速度では報知を行わないように設定したりすることができる。
【００２６】
次に、上記構成のナビゲーション装置の動作について説明する。
【００２７】
図２は、本発明の実施の形態１におけるナビゲーション装置の、停車禁止区域報知動作の手順を示すフローチャートである。はじめに、道路上で渋滞が発生すると、道路交通情報センターが道路上に設置されたビーコンもしくはＦＭ多重放送などを利用して、渋滞情報を送信する。ナビゲーション装置１００の渋滞情報受信部１０が渋滞情報を受信すると（ステップＳ１０１）、制御部７０の停車禁止区域渋滞判定部７１は、渋滞が発生している道路に関する道路番号を渋滞情報から抽出し（ステップＳ１０２）、地図データ格納部３から取得した地図データにおいて渋滞発生中の道路を特定する（ステップＳ１０３）。
【００２８】
また、停車禁止区域渋滞判定部７１は、特定された渋滞発生中の道路で、現在位置から目的地までの誘導経路上にあるものを検索し（ステップＳ１０４）、更に、当該道路上に停車禁止区域が存在するか否かを判定する（ステップＳ１０５）。停車禁止区域が存在する場合、次に、停車可能性判定部７２は、車両が渋滞発生中の路上に存在する停車禁止区域で停止する可能性があるか否かを判定する停車可能性処理を行う（ステップＳ１０６）。
【００２９】
停車可能性判定処理の判定結果に基づいて、停車禁止区域に関する報知を行うか否かが決定され（ステップＳ１０７）、報知を行う場合は、出力部５０で報知を行う（ステップＳ１０８）。出力部５０は、停車可能性判定部７２からの指示を受け、前方に停車禁止区域がある旨を報知するため、ナビゲーション装置の出力画面上に停車禁止区域までの残距離の表示を行ったり、音声案内を出力したりする。
【００３０】
一方、ステップＳ１０４で誘導経路上に渋滞発生中の道路がない場合や、ステップＳ１０５で渋滞発生中の道路に停車禁止区域が存在しない場合、ステップＳ１０６で報知を行わない場合は、ステップＳ１０１へ戻り、同様の手順を繰り返す。
【００３１】
ここで、停車可能性判定処理について説明する。
【００３２】
図３は、本発明の実施の形態１におけるナビゲーション装置の、停車可能性判定処理手順を示すフローチャートである。停車可能性判定部７２は、はじめに、車両位置検知部２０より車両の現在位置情報を取得し（ステップＳ２０１）、誘導経路上において、車両の現在位置から渋滞発生中の路上に存在する停車禁止区域までの距離を算出する（ステップＳ２０２）。
【００３３】
次に、停車可能性判定部７２は、算出された距離が予め設定された距離（例えば、１００ｍ）以下であるか否かを判定する（ステップ２０３）。
【００３４】
停車禁止区域までの距離が１００ｍ以内である場合、次に、停車可能性判定部７２は、車両速度検知部３０より車両速度情報を取得し（ステップＳ２０４）、予め設定された速度以下（例えば、時速２０ｋｍ）の低速で走行しているか否かを判定する（ステップＳ２０５）。時速２０ｋｍ以下で走行している場合、前方車両によって路上の停車禁止区域の道路標示が遮蔽され、停車禁止区域内で車両が停止する可能性がある（即ち、渋滞の中を低速で走行中である）と判断し、出力部５０で報知を行うように設定する（ステップＳ２０６）。一方、ステップＳ２０３で停車禁止区域までの距離が１００ｍを超過している場合や、ステップＳ２０５で車両速度が２０ｋｍ／ｈを超過している場合は、報知を行わないように設定する（ステップＳ２０７）。
【００３５】
尚、入力部４０を介して操作者が入力し、設定変更部７３で設定を変更することにより、報知を開始する停車禁止区域までの距離（上記の例では「１００ｍ」と設定）や、渋滞走行中の判定基準となる速度（上記の例では「２０ｋｍ／ｈ」と設定）などは自在に変更することができる。
【００３６】
以上のように、本実施の形態のナビゲーション装置によれば、前方の停車禁止区域を低速で通過すると予測される場合に報知を行うことにより、停車禁止区域内で意図せず車両が停止することを未然に防止できる。
【００３７】
［実施の形態２］
図４は、本発明の実施の形態２におけるナビゲーション装置の構成を示す図である。実施の形態１と比較して、制御部７０に停車禁止区域推定部７４が付加されている点が異なる。地図情報格納部６０には地図データのみが格納されており、この地図データには停車禁止区域の位置に関するデータが関連付けられていない。本実施の形態では、停車禁止区域推定部７４が、地図データに含まれる地図上の施設に関する情報に基づいて後述する方法で停車禁止区域を推定することにより、停車禁止区域情報を取得する。そして、推定した停車禁止区域を低速で通過すると予測される場合に報知を行う。尚、その他の構成は実施の形態１と同じであるため説明を省略する。
【００３８】
次に、上記構成のナビゲーション装置の動作について説明する。
【００３９】
図５は、本発明の実施の形態２におけるナビゲーション装置の、停車禁止区域報知動作の手順を示すフローチャートである。ステップＳ３０１からステップＳ３０４までの手順は、実施の形態１の図２のフローチャートにおけるステップＳ１０１からステップＳ１０４までの手順と同じであるので説明を省略する。
【００４０】
ステップＳ３０４で、誘導経路上に渋滞発生中の道路があると判定された場合、停車禁止区域推定部７４は、地図情報に停車禁止区域データが含まれていないので、地図上にある警察署や消防署、病院などの緊急車両の出入りを伴う施設の位置情報に基づいて、停車禁止区域の場所を推定する。
【００４１】
ここで、停車禁止区域推定処理について説明する。
【００４２】
図６は、本発明の実施の形態２におけるナビゲーション装置の、停車禁止区域推定処理手順を示すフローチャートである。はじめに、停車禁止区域推定部７４は、地図情報格納部６０から取得した地図データについて、消防署や警察署、病院などの緊急車両の出入りを伴う施設が存在するか否かを検索する（ステップＳ４０１）。施設が存在する場合（ステップＳ４０２）、停車禁止区域推定部７４は、当該施設の敷地の中心座標値を地図情報格納部６０から取得する（ステップＳ４０３）。
【００４３】
次に、停車禁止区域推定部７４は、施設に隣接する道路を把握し（ステップＳ４０４）、当該座標から最も近い道路を検索して（ステップＳ４０５）、該当する道路の施設が隣接する部分を含む区域を停車禁止区域とする（ステップＳ３０５）。具体的には、敷地の中心座標から、施設に隣接する道路に対して垂線を引く。尚、敷地に隣接する道路が複数ある場合は複数の垂線を引く。そして、最も長さの短い垂線に対応する道路に停車禁止区域が設定されていると推定する。図７と図８は、停車禁止区域の推定処理例を説明するための模式図である。図の例では、消防署の敷地に隣接する道路は、道路ａと道路ｂの２本であり、敷地の中心座標Ａから引いた垂線aと垂線ｂとでは、垂線ａの方が短いので、道路ａ上に停車禁止区域があると推定する。そして、図８に示すように、道路ａの、消防署の敷地が隣接する部分を含む前後１０ｍに停車禁止区域を設定する。
【００４４】
尚、推定により設定する停車禁止区域は敷地が隣接する部分だけであってもよいし、その前後に追加する区域を１０ｍ以外に設定してもよい。この設定は、入力部４０を介して操作者が入力し、設定変更部７３で設定を変更することにより、自在に変更することができる。また、隣接する複数の道路に対して引いた垂線の長さが同じである場合は、例えば、車線数が多い方の道路に停車禁止区域が設定されていると推定するとか、両方に停車禁止区域が設定されていると推定するなど、適切に推定するように設定してよい。この設定も、入力部４０を介して操作者が入力し、設定変更部７３で設定を変更することにより、自在に変更することができる。
【００４５】
以上のように、本実施の形態のナビゲーション装置によれば、停車禁止区域の推定が行われるため、地図データに停車禁止区域の位置に関するデータが関連付けられていない（即ち、停車禁止区域データがない）場合でも、前方の停車禁止区域を低速で通過すると予測される場合に報知を行って、停車禁止区域内で意図せず車両が停止することを未然に防止できる。
【産業上の利用可能性】
【００４６】
本発明は、渋滞発生中の停車禁止区域に、所定速度以下で、所定距離以内に接近しているか否かを判定し、停車禁止区域内に車両が停止する可能性がある場合には報知を行うことにより、ユーザに注意を促すことができる為、渋滞中で停車禁止区域の標示をユーザが確認できない場合であっても、車両が停車禁止区域内に停止することを未然に防止できる効果を有し、目的地までの経路を案内するナビゲーション装置等に有用である。
【図面の簡単な説明】
【００４７】
【図１】本発明の実施の形態１におけるナビゲーション装置の構成を示す図
【図２】本発明の実施の形態１におけるナビゲーション装置の、停車禁止区域報知動作の手順を示すフローチャート
【図３】本発明の実施の形態１におけるナビゲーション装置の、停車可能性判定処理手順を示すフローチャート
【図４】本発明の実施の形態２におけるナビゲーション装置の構成を示す図
【図５】本発明の実施の形態２におけるナビゲーション装置の、停車禁止区域報知動作の手順を示すフローチャート
【図６】本発明の実施の形態２におけるナビゲーション装置の、停車禁止区域推定処理手順を示すフローチャート
【図７】停車禁止区域の推定処理例を説明するための模式図
【図８】停車禁止区域の推定処理例を説明するための模式図
【符号の説明】
【００４８】
１０  渋滞情報受信部
２０  車両位置検知部
３０  車両速度検知部
４０  入力部
５０  出力部
６０  地図情報格納部
７０  制御部
７１  停車禁止区域渋滞判定部
７２  停車可能性判定部
７３  設定変更部
１００  ナビゲーション装置
【図１】
2007010494.tif 000003
【図２】
2007010494.tif 000004
【図３】
2007010494.tif 000005
【図４】
2007010494.tif 000006
【図５】
2007010494.tif 000007
【図６】
2007010494.tif 000008
【図７】
2007010494.tif 000009
【図８】
2007010494.tif 000010